(57)【要約】【課題】導通路が詰まることがなく、雑菌によって薬液が汚染されることのない、薬液を備えたブラシを提供することを課題とする。【解決手段】内部に薬液Ｌが充填されたエアゾール缶１が用いられ、ブラシ３１を備えたブラシ部３と、エアゾール缶１を支持するための支持部２とを備え、上記の支持部２には、上記の薬液Ｌをエアゾール缶１の噴射口１２ａから噴射させるための操作機構５を備え、この操作機構５は、使用者によって操作される操作部５１と、当該操作部５１の動作をエアゾール缶１に伝達するための伝達部５２とを備えたものであり、支持部２とブラシ部３との間には、上記エアゾール缶１の噴射口１２ａから噴射された薬液Ｌを、ブラシ部３まで導くことのできる導通路４を備え、導通路４には、外気によって薬液Ｌが乾燥することによる導通路４の詰まりを防止するための閉鎖手段Ｃが設けられた、薬液を備えたブラシを提供する。【選択図】          図１
2006149618.tif 000002
【特許請求の範囲】
【請求項１】
内部に流動性を有する薬液（Ｌ）が充填されており、当該薬液（Ｌ）を缶外に噴射することのできる噴射口（１２ａ）を備えたエアゾール缶（１）が用いられたものであり、
ブラシ（３１）を備えたブラシ部（３）と、
エアゾール缶（１）を支持するための支持部（２）とを備え、
上記の支持部（２）には、上記の薬液（Ｌ）を噴射口（１２ａ）から噴射させるための操作機構（５）を備え、
この操作機構（５）は、使用者によって操作される操作部（５１）と、当該操作部（５１）の動作をエアゾール缶（１）に伝達するための伝達部（５２）とを備えたものであり、
支持部（２）とブラシ部（３）との間には、上記エアゾール缶（１）の噴射口（１２ａ）から噴射された薬液（Ｌ）を、ブラシ部（３）まで導くことのできる導通路（４）を備え、
導通路（４）には、外気によって薬液（Ｌ）が乾燥することによる導通路（４）の詰まりを防止するための閉鎖手段（Ｃ）が設けられたことを特徴とする、薬液を備えたブラシ。
【請求項２】
上記の操作機構（５）によって、エアゾール缶（１）から薬液（Ｌ）が噴射される際には、閉鎖手段（Ｃ）が導通路（４）を開放するものであって、
上記の噴射がされない際には、閉鎖手段（Ｃ）が導通路（４）を閉鎖するものであることを特徴とする、請求項１に記載の、薬液を備えたブラシ。
【請求項３】
上記のエアゾール缶（１）は、薬液（Ｌ）が充填された缶本体（１１）と、
缶本体（１１）から突出したものであって、缶本体（１１）に対して移動させることにより、薬液（Ｌ）を噴射可能とされた、筒状のステム部（１２）を備えたものであって、上記の噴射口（１２ａ）はステム部（１２）の先端に設けられたものであり、
上記の操作部（５１）は、支持部（２）に対してスライド可能に支持されたものであり、
上記の伝達部（５２）は、上記操作部（５１）のスライド動作に連動し、ステム部（１２）を缶本体（１１）の側へと押し込むことが可能なものであり、
上記のブラシ部（３）には、支持部（２）に対してスライド可能に支持された蓋材（３３）が設けられており、
この蓋材（３３）と上記の操作レバー（５１）とは、連結材（６）によって連結されたものであり、
蓋材（３３）は、操作レバー（５１）の上記スライド動作に連動してスライドされることにより、
ブラシ部（３）に設けられた、導通路（４）の開口部（４１）を塞ぐことができる閉鎖手段（Ｃ）として機能することを特徴とする、請求項２に記載の、薬液を備えたブラシ。
【請求項４】
上記のエアゾール缶（１）は、薬液（Ｌ）が充填された缶本体（１１）と、
缶本体（１１）から突出したものであって、缶本体（１１）に対して移動させることにより、薬液（Ｌ）を噴射可能とされた、筒状のステム部（１２）を備えたものであって、上記の噴射口（１２ａ）はステム部（１２）の先端に設けられたものであり、
上記の操作部（５１）は、支持部（２）に対してスライド可能に支持されたものであり、
上記の伝達部（５２）は、上記操作部（５１）のスライド動作に連動し、ステム部（１２）を缶本体（１１）の側へと押し込むことが可能なものであり、
上記のブラシ部（３）には、支持部（２）に対してスライド可能に支持されたブラシ台（３２）が設けられており、
このブラシ台（３２）と上記の操作レバー（５１）とは、連結材（６）によって連結されたものであり、
上記のブラシ（３１）は、このブラシ台（３２）の表面に、直立するように植えられたものであり、
導通路（４）は、ブラシ台（３２）を貫通して設けられたものであり、
ブラシ台（３２）は、操作レバー（５１）の上記スライド動作に連動してスライドされることにより、支持部側導通路（４ａ）と、ブラシ部側導通路（４ｂ）とを導通不能に分断できる閉鎖手段（Ｃ）として機能することを特徴とする、請求項２に記載の、薬液を備えたブラシ。
【請求項５】
上記の支持部（２）にストッパー部材（７）が設けられたものであり、
ストッパー部材（７）は、上記の操作レバー（５１）をスライド不能とすることにより、導通路（４）が閉鎖された状態で固定できるものであることを特徴とする、請求項３または４に記載の、薬液を備えたブラシ。
【発明の詳細な説明】
【技術分野】
【０００１】
本願発明は、薬液を備えたブラシに関するものである。
【背景技術】
【０００２】
【特許文献１】登録実用新案第３０４９５６５号公報
【０００３】
種々のブラシのうち、歯を磨くための歯ブラシは従来から周知であるが、この歯ブラシのうちで、特許文献１に示されたもののように、液体歯磨きのような歯磨剤を備えた歯ブラシが存在する。この歯ブラシは、カートリッジやエアゾール容器に封入された歯磨剤を、歯を磨くために先端部に設けられたブラシに供給することができるものであり、従来の歯ブラシのように、いちいち、別のチューブ入りの歯磨剤を用いる必要がなく、便利である。
【発明の開示】
【発明が解決しようとする課題】
【０００４】
しかし、この特許文献１に示された歯ブラシは、カートリッジやエアゾール容器からブラシへと歯磨剤を導くための導通路が、ブラシの根元部分に開放されたままの状態とされているため、導通路の出口付近に存在する歯磨剤が外気に触れて固まり、導通路が詰まってしまうことがあり、頻繁に清掃する必要があって不便であった。
また、外気中に存在する雑菌により、歯磨剤が汚染される恐れもあった。
また、この歯ブラシは、力を入れて歯磨きした場合など、不意に歯磨剤がブラシに供給されてしまう場合があり、歯磨剤の使いすぎとなって不経済であった。
この問題は、歯ブラシに限られたものではなく、ヘアローション、育毛剤、染毛剤を備えたヘアブラシや、洗浄剤を備えた掃除用ブラシなど、薬液を備えたブラシに共通するものであった。
【０００５】
本願発明は上記のことに鑑み、導通路が詰まることがなく、雑菌によって薬液が汚染されることのない、薬液を備えたブラシを提供すること、また、経済的に薬液を使用できる、薬液を備えたブラシを提供することを課題とする。
【課題を解決するための手段】
【０００６】
上記課題を解決するために、本願の請求項１に記載の発明は、内部に流動性を有する薬液Ｌが充填されており、当該薬液Ｌを缶外に噴射することのできる噴射口１２ａを備えたエアゾール缶１が用いられたものであり、歯を洗浄するためのブラシ３１を備えたブラシ部３と、エアゾール缶１を支持するための支持部２とを備え、上記の支持部２には、上記の薬液Ｌを噴射口１２ａから噴射させるための操作機構５を備え、この操作機構５は、使用者によって操作される操作部５１と、当該操作部５１の動作をエアゾール缶１に伝達するための伝達部５２とを備えたものであり、支持部２とブラシ部３との間には、上記エアゾール缶１の噴射口１２ａから噴射された薬液Ｌを、ブラシ部３まで導くことのできる導通路４を備え、導通路４には、外気によって薬液Ｌが乾燥することによる導通路４の詰まりを防止するための閉鎖手段Ｃが設けられたことを特徴とする、薬液を備えたブラシを提供する。
【０００７】
また、本願の請求項２に記載の発明は、上記の操作機構５によって、エアゾール缶１から薬液Ｌが噴射される際には、閉鎖手段Ｃが導通路４を開放するものであって、上記の噴射がされない際には、閉鎖手段Ｃが導通路４を閉鎖するものであることを特徴とする、請求項１に記載の、薬液を備えたブラシを提供する。
【０００８】
また、本願の請求項３に記載の発明は、上記のエアゾール缶１は、薬液Ｌが充填された缶本体１１と、缶本体１１から突出したものであって、缶本体１１に対して移動させることにより、薬液Ｌを噴射可能とされた、筒状のステム部１２を備えたものであって、上記の噴射口１２ａはステム部１２の先端に設けられたものであり、上記の操作部５１は、支持部２に対してスライド可能に支持されたものであり、上記の伝達部５２は、上記操作部５１のスライド動作に連動し、ステム部１２を缶本体１１の側へと押し込むことが可能なものであり、上記のブラシ部３には、支持部２に対してスライド可能に支持された蓋材３３が設けられており、この蓋材３３と上記の操作レバー５１とは、連結材６によって連結されたものであり、蓋材３３は、操作レバー５１の上記スライド動作に連動してスライドされることにより、ブラシ部３に設けられた、導通路４の開口部４１を塞ぐことができる閉鎖手段Ｃとして機能することを特徴とする、請求項２に記載の、薬液を備えたブラシを提供する。
【０００９】
また、本願の請求項４に記載の発明は、上記のエアゾール缶１は、薬液Ｌが充填された缶本体１１と、缶本体１１から突出したものであって、缶本体１１に対して移動させることにより、薬液Ｌを噴射可能とされた、筒状のステム部１２を備えたものであって、上記の噴射口１２ａはステム部１２の先端に設けられたものであり、上記の操作部５１は、支持部２に対してスライド可能に支持されたものであり、上記の伝達部５２は、上記操作部５１のスライド動作に連動し、ステム部１２を缶本体１１の側へと押し込むことが可能なものであり、上記のブラシ部３には、支持部２に対してスライド可能に支持されたブラシ台３２が設けられており、このブラシ台３２と上記の操作レバー５１とは、連結材６によって連結されたものであり、上記のブラシ３１は、このブラシ台３２の表面に、直立するように植えられたものであり、導通路４は、ブラシ台３２を貫通して設けられたものであり、ブラシ台３２は、操作レバー５１の上記スライド動作に連動してスライドされることにより、支持部側導通路４ａと、ブラシ部側導通路４ｂとを導通不能に分断できる閉鎖手段Ｃとして機能することを特徴とする、請求項２に記載の、薬液を備えたブラシを提供する。
【００１０】
また、本願の請求項５に記載の発明は、上記の支持部２にストッパー部材７が設けられたものであり、ストッパー部材７は、上記の操作レバー５１をスライド不能とすることにより、導通路４が閉鎖された状態で固定できるものであることを特徴とする、請求項３または４に記載の、薬液を備えたブラシを提供する。
【発明の効果】
【００１１】
本願の請求項１に記載の発明にあっては、薬液Ｌが充填されたエアゾール缶１が用いられたことにより、薬液Ｌを使い切っても、エアゾール缶１を交換するだけで済み、大変使い勝手の良いブラシを提供できたものである。また、導通路４には、外気によって薬液Ｌが乾燥することによる導通路４の詰まりを防止するための閉鎖手段Ｃが設けられたことにより、薬液Ｌを噴射しない時には、導通路４を閉鎖することができる。よって、導通路４に存在する薬液Ｌが外気に触れて固まってしまうことを防止できる。これにより、導通路４が詰まってしまうことを恐れて頻繁に清掃する必要もなく、使い勝手の良いものとできる。また、外気中に存在する雑菌により、薬液Ｌが汚染される可能性も少ない。
【００１２】
また、本願の請求項２に記載の発明にあっては、上記請求項１に記載の発明の効果に加え、エアゾール缶１から薬液Ｌが噴射される際には、閉鎖手段Ｃが導通路４を開放するものであり、上記の噴射がされない際には、閉鎖手段Ｃが導通路４を閉鎖するものであるため、閉鎖手段Ｃを操作するための別個の動作が不要であって、扱いが容易である。
【００１３】
また、本願の請求項３に記載の発明にあっては、上記請求項２に記載の発明の効果に加え、操作部５１のスライド動作に連動する蓋材３３が、閉鎖手段Ｃとして機能するものであり、簡単な構造の閉鎖手段Ｃとできたものである。
【００１４】
また、本願の請求項４に記載の発明にあっては、上記請求項２に記載の発明の効果に加え、支持部２に対してスライド可能に支持されたブラシ台３２が、操作部５１のスライド動作に連動することにより、閉鎖手段Ｃとして機能するものであり、蓋材３３のような、導通路４を閉鎖するための別個の部材が不要である。
【００１５】
また、本願の請求項５に記載の発明にあっては、上記請求項３または４に記載の発明の効果に加え、支持部２に設けられたストッパー部材７が操作レバー５１をスライド不能とすることにより、導通路４が閉鎖された状態で固定できるため、例えば歯ブラシの場合、力を入れて歯磨きしても、エアゾール缶１から不意に薬液Ｌが噴射されてしまうことがなく、必要な分だけの薬液Ｌを使用できて経済的である。
【発明を実施するための最良の形態】
【００１６】
以下、図面に基づき本願発明の実施の形態の一例として、歯磨剤を備えた歯ブラシを取り上げて説明する。図１及び図２は、本願発明の実施例１に係る歯ブラシを示し、図３〜図５は、同実施例２に係る歯ブラシを示す。
【実施例１】
【００１７】
実施例１に係る歯ブラシは、図１に示すようなものであって、エアゾール缶１を装着して使用するものである。本実施例において用いられるエアゾール缶１は、内部に液状などの流動性を有する歯磨剤Ｌが充填されたものであって、当該歯磨剤Ｌを缶外に噴射することのできる噴射口１２ａを備えたものである。
このエアゾール缶１の構造は、従来から種々の用途に用いられている周知のものであって、歯磨剤Ｌが内部に充填された略円筒形の缶本体１１と、缶本体１１から突出した中空筒状のものであって、缶本体１１に押し込むことにより、内部のバルブ機構が作動し、歯磨剤Ｌを噴射可能とされたステム部１２とを備えたものである。このステム部１２の先端には噴射口１２ａが設けられている。
【００１８】
ここで、上記のステム部１２の構造は、缶本体１１に対して移動されることにより、歯磨剤Ｌを噴射可能とされたものであれば良く、例えば、ステム部１２を首を振るように移動させることにより噴射がなされるものなど、種々の構造にて実施し得る。
また、殺虫剤や芳香剤などの用途に供されるエアゾール缶に良く見られるように、ステム部１２の噴射口１２ａを覆う、チップ状の噴射ボタンが取り付けられた状態のエアゾール缶１を使用しても良い。
【００１９】
本実施例に係る歯ブラシは、上記のエアゾール缶１を支持するための支持部２と、歯を磨くためのブラシ３１を有するブラシ部３とを備えたものである。
【００２０】
本実施例における支持部２は略円錐形状のものであって、基端（底面）側は開口されており、エアゾール缶１を支持するための支持部２１が設けられている。本実施例における支持部２１は、エアゾール缶１のステム部１２を取り巻くように配位された、端縁部１３と嵌合する爪部２１が、支持部２の内周面に突出するように設けられており、この爪部２１に端縁部１３を嵌めることにより、エアゾール缶１と支持部２とを結合することができる。なお、本実施例では、上記のように、エアゾール缶１と支持部２とを結合した状態において、エアゾール缶１の缶本体１１が支持部２の基端側に露出した状態とされており、この歯ブラシを用いて歯を磨く際には、使用者は缶本体１１を直接持つこととなる。
なお、支持部２は、本実施例のようにエアゾール缶１が露出したもの以外に、エアゾール缶１を囲むケーシングを形成するなどして、エアゾール缶１の全体または一部を収納することのできる収納室を備えたものとしても良い。
【００２１】
支持部２の先端側にはブラシ部３が固定されている。このブラシ部３は、使用者の歯に対して当接させるためのブラシ３１を備えたものである。ブラシ３１は、支持部２と一体とされたブラシ台３２に直立するように植えられたものである。本実施例におけるブラシ３１は、一般的な歯ブラシと同じく、合成樹脂製の小径の線状体が束ねられたものが、ブラシ台３２上に一定の間隔で並列させられたものである。ブラシ３１を構成する線状体の太さや長さ、またブラシ３１自体の大きさ、またブラシ台３２の形状は、重点的に歯磨きをする歯の部位や使用者の対象年齢に応じて、種々に変更が可能である。
なお、歯ブラシ以外のブラシに本願発明を適用する場合にあっては、ブラシ部３を、例えば硬質プラスチック製からなるものとし、ブラシ台３２に対してブラシ３１を櫛状に、一体に形成したものとしても良い。
【００２２】
支持部２とブラシ部３との間には、内部に歯磨剤Ｌを通すことのできる中空の通路である導通路４が設けられている。この導通路４は、後述する押圧部材５２の先端側から、支持部２の内部を通り、ブラシ部３のブラシ台３２の表面に設けられた開口部４１へと至るものである。これにより、エアゾール缶１の噴射口１２ａから噴射された歯磨剤Ｌを、ブラシ部３まで導き、ブラシ３１の根元へと供給することができる。
本実施例では、この導通路４が支持部２及びブラシ部３の内部に設けられたものであるが、別途チューブ状の導通路４を支持部２の内部に通したものとしても良い。
また、開口部４１については、上記のようにブラシ３１とブラシ台３２とを一体に形成した場合、ブラシ３１の先端や側面に設けたものとしても良い。
【００２３】
また、支持部２には、エアゾール缶１のステム部１２を缶本体１１に押し込むことにより、歯磨剤Ｌをエアゾール缶１の噴射口１２ａから噴射させるための操作機構５が備えられている。この操作機構５は、使用者によって操作される操作部としての操作レバー５１と、操作部５１の動作をエアゾール缶１に伝達するための伝達部としての押圧部材５２とを備えたものである。
【００２４】
操作レバー５１は、支持部２に対して、前後方向にスライド可能に支持されたものである。つまり、この操作レバー５１のスライド方向は、上記のようにステム部１２が缶本体１１に押し込まれる方向に対して平行とされている。
押圧部材５２は、操作レバー５１のスライド動作に連動するものであり、ステム部１２を缶本体１１の側へ押し込むための部材である。本実施例においては、押圧部材５２は、上記のようにステム部１２が缶本体１１に押し込まれる方向に延びる筒状体であり、内部に歯磨剤通過空間５２ａが貫通している。エアゾール缶１のステム部１２における先端部は、この押圧部材５２の内面５２ｂに嵌合し、これにより、ステム部１２と押圧部材５２とは連結されている。
また、操作レバー５１と押圧部材５２とは、嵌合により一体とされている。
【００２５】
操作レバー５１を、エアゾール缶１の方向（図１（Ａ）における右方向）へとスライドさせると、押圧部材５２は同方向に移動する。この移動した押圧部材５２によって、押圧部材５２に嵌合されたステム部１２は、缶本体１１へと押し込まれるように移動する。これにより、ステム部１２の根元に設けられたバルブ機構が作動し、噴射口１２ａから歯磨剤Ｌが噴射される。この歯磨剤Ｌは、押圧部材５２の歯磨剤通過空間５２ａを通り、導通路４へと導かれる。
なお、上記のような、押圧部材５２によるエアゾール缶１の押圧が解かれると、ステム部１２の根元に設けられた復帰用の付勢手段（図示しない）により、ステム部１２は缶本体１１から突出した状態に自然に復帰し、エアゾール缶１からの歯磨剤Ｌの噴射が止まる。
【００２６】
なお本実施例では、上記のように、操作レバー５１と押圧部材５２とは、嵌合により直接連結されたものであって、操作レバー５１が押圧部材５２を直接移動させるものとしているが、これに限られるものではなく、ギアやリンクなどを介して間接的に動作させるものとしても良い。また、ばねやゴムなどの付勢手段によって押圧部材５２を付勢し、操作レバー５１を軽快に移動させることが可能なものとしても良い。
【００２７】
導通路４には、外気によって歯磨剤Ｌが乾燥することによる導通路４の詰まりを防止するための閉鎖手段Ｃが設けられている。この閉鎖手段Ｃは、操作機構５によって、エアゾール缶１から歯磨剤Ｌが噴射される際には、導通路４を開放するものであって、上記の噴射がされない際には、導通路４を閉鎖するものである。このように操作機構５と閉鎖手段Ｃとが連動するものであるため、閉鎖手段Ｃを操作するための別個の動作が不要であって、扱いが容易である。
【００２８】
本実施例における閉鎖手段Ｃは、ブラシ部３に設けられた、導通路４の開口部４１を塞ぐことができる蓋材３３であって、簡単な構造とできることが利点である。
この蓋材３３は、支持部２に対してスライド可能に支持されたものであり、ブラシ部３のブラシ台座３２に設けられた開口部４１を覆うことができるように配位される。この蓋材３３と上記の操作レバー５１とは、連結材６によって一体とされており、操作レバー５１と蓋材３３とが連動するように連結されている。これにより、操作機構５と閉鎖手段Ｃとが連動するものとなる。つまり、蓋材３３は、エアゾール缶１から歯磨剤Ｌを噴射させるために、操作レバー５１をスライドさせた際において、開口部４１が開放され、操作レバー５１が元の状態に復帰した際において、開口部４１が塞がれるものである。
なお、この蓋材３３及び連結材６は、比較的軟質な材料から形成されたものであって、上記のように操作レバー５１のスライド動作に応じ、支持部２の側面に対して無理なく沿うものとされている。
【００２９】
このように蓋材３３による閉鎖手段Ｃを設けたことにより、歯磨剤Ｌを噴射しない時には、ブラシ台座３２に設けられた開口部４１を閉鎖することができる。これにより、導通路４に存在する歯磨剤Ｌが外気に触れて固まってしまうことを防止できる。よって、導通路４が詰まってしまうことを恐れて頻繁に清掃する必要もなく、使い勝手の良いものとできる。また、外気中に存在する雑菌により、歯磨剤Ｌが汚染される可能性も少ない。
なお、本実施例では、操作機構５と閉鎖手段Ｃとを連動させたものとしたが、閉鎖手段Ｃを操作するための手段を、操作機構５とは別に設けたものとしても良い。
【００３０】
また、支持部２にはストッパー部材７が設けられている。このストッパー部材７は、操作レバー５１をスライド不能とすることにより、導通路４が閉鎖された状態で固定できるものである。本実施例におけるストッパー部材７は、支持部２の、操作レバー５１の基端側の位置に取り付け及び取り外しが可能とされたチップ状のものである。このストッパー部材７が操作レバー５１に当接することにより、操作レバー５１をスライド不能にできる。これにより、力を入れて歯磨きした場合などでも、エアゾール缶１から不意に歯磨剤Ｌが噴射されてしまうことがなく、必要な分だけの歯磨剤Ｌを使用できて経済的である。
【実施例２】
【００３１】
ここで、閉鎖手段Ｃに関する他の実施例について説明する。この実施例においては、ブラシ部３自体が、支持部２に対して移動可能に設けられたことにより、閉鎖手段Ｃとして機能するものである。よって、実施例１における蓋材３３のような、導通路４を閉鎖するための別個の部材が不要であることが利点である。
本実施例においては、ブラシ部３のブラシ台３２が、支持部２に対して、前後方向にスライド可能に支持されている。このブラシ台３２には、導通路４の一部であるブラシ部側導通路４ｂが裏側から表側へと貫通するように設けられている。このブラシ部側導通路４ｂは、同じく導通路４の一部である支持部側導通路４ａと一致した際に、歯磨剤Ｌを通過させることができるものである。
【００３２】
ブラシ台３２と操作レバー５１とは、実施例１と同様、連結材６によって一体とされており、操作レバー５１とブラシ台３２とが連動するように連結されている。
これにより、操作機構５と閉鎖手段Ｃとが連動する。つまり、ブラシ台３２は、エアゾール缶１から歯磨剤Ｌを噴射させるために、操作レバー５１をスライドさせた際において、支持部側導通路４ａとブラシ部側導通路４ｂとが一致することにより導通可能となり、操作レバー５１が元の状態に復帰した際において、各導通路４ａ，４ｂがずれ、導通不能に分断される。
【００３３】
このように、支持部２に対してスライド可能なブラシ台３２による閉鎖手段Ｃを設けたことにより、歯磨剤Ｌを噴射しない時には、導通路４を閉鎖することができる。これにより、実施例１と同様、導通路４に存在する歯磨剤Ｌが外気に触れて固まってしまうことを防止できる。よって、導通路４が詰まってしまうことを恐れて頻繁に清掃する必要もなく、使い勝手の良いものとできる。また、外気中に存在する雑菌により、歯磨剤Ｌが汚染される可能性も少ない。
【００３４】
本実施例におけるストッパー部材７は、操作レバー５１のスライド方向に対し、直交する方向にスライド可能とされたものである。このように、支持部２にスライド式のストッパー部材７を設けることにより、実施例１における、チップ状のストッパー部材７よりも簡単に、操作レバーをスライド不能にできる。また、ストッパー部材７を紛失する恐れもない。
【００３５】
本願発明に係る歯ブラシの使用に当たっては、使用者がエアゾール缶１の缶本体１１を握ることによって、一般の歯ブラシと同要領で歯を磨くことができる。そして、ブラシ部３のブラシ３１に歯磨剤Ｌを供給するためには、使用者が操作レバー５１をスライドさせれば良い。これにより、エアゾール缶１から導通路４を通じて、歯磨剤Ｌをブラシ３１に供給することができる。このように操作レバー５１を適宜操作することにより、使用者が望む量の歯磨剤Ｌをブラシ３１に導くことができる。また、操作レバー５１は、ストッパー部材７によって固定可能なため、特許文献１に記載された従来の歯ブラシと異なり、不意に歯磨剤Ｌが出てしまうことによる、歯磨剤Ｌの使いすぎを防止できて経済的である。
また、本願発明に係る歯ブラシは、歯磨剤Ｌがエアゾール缶１に充填されたものであるため、歯磨剤Ｌを使い切っても、エアゾール缶１を交換するだけで済む。よって、大変使い勝手の良いものである。
【００３６】
上記の各実施例は、本願発明を歯ブラシに適用した例を示したものであるが、ヘアローション、育毛剤、染毛剤を備えたヘアブラシや、洗浄剤を備えた掃除用ブラシなど、薬液を備えた、種々のブラシに対しての適用が可能である。
【図面の簡単な説明】
【００３７】
【図１】本願の実施例１に係る歯ブラシの、閉鎖手段が導通路を閉鎖した状態を示すものであって、（Ａ）は一部断面視の側面図であり、（Ｂ）は平面図である。
【図２】本願の実施例１に係る歯ブラシの、閉鎖手段が導通路を開放した状態を示すものであって、（Ａ）は一部断面視の側面図であり、（Ｂ）は平面図である。
【図３】本願の実施例２に係る歯ブラシの外観を示す斜視図である。
【図４】本願の実施例２に係る歯ブラシの、閉鎖手段が導通路を閉鎖した状態を示すものであって、（Ａ）は一部断面視の側面図であり、（Ｂ）は平面図である。
【図５】本願の実施例２に係る歯ブラシの、閉鎖手段が導通路を開放した状態を示すものであって、（Ａ）は一部断面視の側面図であり、（Ｂ）は平面図である。
【符号の説明】
【００３８】
１        エアゾール缶
１１      缶本体
１２      ステム部
１２ａ    噴射口
２        支持部
３        ブラシ部
３１      ブラシ
３２      ブラシ台
３３      蓋材
４        導通路
４ａ      支持部側導通路
４ｂ      ブラシ部側導通路
５        操作機構
５１      操作部、操作レバー
５２      伝達部、押圧部材
６        連結材
７        ストッパー部材
Ｃ        閉鎖手段
Ｌ        薬液、歯磨剤
【図１】
2006149618.tif 000003
【図２】
2006149618.tif 000004
【図３】
2006149618.tif 000005
【図４】
2006149618.tif 000006
【図５】
2006149618.tif 000007